(57)【要約】【課題】バイアル瓶などの容器を収納する収納容器を、紙の使用量を削減して安価に製造する。【解決手段】底壁部の前後端縁からそれぞれ前面部３および後面部７が立設される一方、前面部３の内面に折り返し部が貼着されるとともに、後面部７の内面にに糊代が貼着されることにより、折り返し部と糊代に間に連設されて、支持穴５ａを有する隔壁部５が前面部３と後面部７との間に架設される。そして、隔壁部５の支持穴５ａにバイアル瓶Ｂが挿入されると、底面部２の左右端縁からそれぞれ側面部１０が立設される一方、後面部７の上端縁から上面部８が延設される。そして、前面部３に切れ目を介して切り離し片が連設されるとともに、切り離し片に切れ目を介して糊代が連設され、該糊代が上面部８に貼着されて、上面部８を封緘している。【選択図】　図１
2004059022.tif 000002
【特許請求の範囲】
【請求項１】
左右の側端縁にそれぞれ側面部および差し込み片が順に折り目を介して連設された底面部の下端縁に、前面部、折り返し部、隔壁部、第１糊代が順に折り目を介して連設されるとともに、底面部の上端縁に、後面部、上面部および差し込みフラップが順に折り目を介して連設され、また、前面部の左右の側端縁および／または後面部の左右端縁にサイドフラップが折り目を介して連設されてなり、隔壁部に間隔をおいて容器を収納可能な複数個の支持穴が形成され、また、前面部と折り返し部にかけて、前面部の開口部端縁に順に切れ目を介して連設された剥離部および第２糊代を残して開口部が形成され、折り返し部が前面部に貼着されるとともに、第１糊代が後面部に貼着され、また、上面部に第２糊代が貼着されることを特徴とする収納容器。
【発明の詳細な説明】
【０００１】
【発明の属する技術分野】
本発明は、バイアル瓶などの容器を収納し、輸送する際に使用する収納容器に関するものである。
【０００２】
【従来の技術】
一般に、バイアル瓶などの容器を収納し、輸送する際に使用する収納容器は、容器同士が接触しないように複数個の収納穴を間隔をおいて形成したトレー型のホルダーと、このホルダーが収容される外箱とによって構成されており、容器がホルダーの各収納穴に保持され、容器を保持したホルダーが外箱内に収容されるようになっている。
【０００３】
【発明が解決しようとする課題】
このような収納容器は、外箱とホルダーとが別々に製造されるため、製造コストがかさむだけでなく、容器をホルダーの各収納穴に収納した後に、ホルダーを容器とともに外箱内に収容しなければならず、容器の収納作業に手間を要するという問題がある。また、外箱内に収容された容器を取り出す場合には、ホルダーを外箱から引き出して、ホルダーの収納穴に保持された容器を摘み出さなければならず、各容器の取り出し作業も煩わしいという問題もあった。
【０００４】
本発明は、このような問題に鑑みてなされたもので、紙の使用量を可及的に削減して安価に製造することのできるバイアル瓶などの容器の収納容器を提供するものである。
【０００５】
【課題を解決するための手段】
本発明は、左右の側端縁にそれぞれ側面部および差し込み片が順に折り目を介して連設された底面部の下端縁に、前面部、折り返し部、隔壁部、第１糊代が順に折り目を介して連設されるとともに、底面部の上端縁に、後面部、上面部および差し込みフラップが順に折り目を介して連設され、また、前面部の左右の側端縁および／または後面部の左右端縁にサイドフラップが折り目を介して連設されてなり、隔壁部に間隔をおいて容器を収納可能な複数個の支持穴が形成され、また、前面部と折り返し部にかけて、前面部の開口部端縁に順に切れ目を介して連設された剥離部および第２糊代を残して開口部が形成され、折り返し部が前面部に貼着されるとともに、第１糊代が後面部に貼着され、また、上面部に第２糊代が貼着されることを特徴とするものである。
【０００６】
本発明によれば、折り返し部に接着剤を塗布した後、前面部と折り返し部との折り目に沿って折り込み、折り返し部を前面部に貼着し、次いで、第１糊代に接着剤を塗布した後、底面部と後面部との折り目に沿って折り込み、第１糊代に後面部を貼着する。この後、底面部に対して前面部および後面部を起こすことにより、前面部と後面部との間に架設された隔壁部と、底面部と、前面部と、後面部とによって上面および左右側面が開口された直方体が形成される。
【０００７】
そして、隔壁部の各支持穴にバイアル瓶などの容器を挿入したならば、前面部および／または後面部に対してサイドフラップを折り込むとともに、底面部に対して側面部を折り込み、側面部に対して差し込み片を折り込んだ後、後面部に対して上面部を折り込むとともに、上面部に対して差し込みフラップを折り込んで折り返し部に沿って差し込むことにより、バイアル瓶などの容器を保持した収納容器を形成することができる。この後、第２糊代に接着剤を塗布して上面部に貼着すれば、上面部を回動しないように保持することができる。
【０００８】
一方、バイアル瓶などの容器を必要とする場合は、切り離し部を摘んで一対の切れ目に沿って切り裂くことにより、上面部の回動を許容することができる。その後、上面部を持ち上げて収納容器の上面を開口すれば、隔壁部の支持穴に保持されたバイアル瓶などの容器を露出させて、容器を取り出すことができる。
【０００９】
この結果、台紙を打ち抜き、折り目に沿って折り込むとともに、糊代を貼着して収納容器を組み立てることができることから、外箱とホルダーとを別個に製造する場合に比較してコストを大幅に削減することができる。しかも、収納容器を形成する底面部、前面部、後面部、上面部および左右の側面部からなる六面において、隔壁部を前面部および後面部との間に架設するための折り返し部と糊代以外に重複する部分が存在せず、台紙の使用量を削減することができ、経済的となる。
【００１０】
【発明の実施の形態】
以下、本発明の実施の形態を図面に基づいて詳細に説明する。
【００１１】
図１および図２には、本発明の収納容器１の一実施形態が示されている。
【００１２】
この収納容器１は、バイアル瓶Ｂ（図１および図２参照）を収納するものであり、コートボールを図３に示す展開図にしたがって打ち抜いた後、折り目に沿って折り込むとともに、所定部分を貼着して組み立てられる。そして、収納容器１に設定個数のバイアル瓶Ｂを収納した後、輸送される。
【００１３】
収納容器１は、図３の展開図において、左右の側端縁にそれぞれ側面部１０が折り目ｈを介して連設された底面部２の下端縁に、前面部３、折り返し部４、隔壁部５および第１糊代６が順に折り目ａ，ｂ，ｃ，ｄを介して連設されるとともに、底面部２の上端縁に、後面部７、上面部８および差し込みフラップ９が順に折り目ｅ，ｆ，ｇを介して連設され、また、左右の各側面部１０の他側端縁に、それぞれ差し込み片１１が折り目ｉを介して連設される一方、前面部３の左右の側端縁および後面部７の左右の側端縁にそれぞれサイドフラップ１２が折り目ｊを介して連設され、さらに、隔壁部５の左右の側端縁にそれぞれフラップ１３が折り目ｋを介して連設されて構成されている。
【００１４】
そして、隔壁部５には、バイアル瓶Ｂの胴部を挿入し、保持するため、例えば、２行５列の計１０個の支持穴５ａが左右方向および上下方向にそれぞれ等しい間隔をあけて形成されている。具体的には、各支持穴５ａは、収納されるバイアル瓶Ｂの胴部の直径に対応する一辺を有する略正方形状の穴と、該略正方形状の穴の一辺を底辺とする略二等辺三角形状の穴と、を組み合わせるとともに、略二等辺三角形状の穴の頂点部分を折り目ｃ，ｄ側に向けて形成されている。この際、支持穴５ａの略二等辺三角形状の穴の頂点部分が、折り目ｃ，ｄを一部切り欠くように、その高さが設定されている。
【００１５】
なお、支持穴５ａのうち、左右最外側に形成された支持穴５ａについては、フラップ１３との折り目ｋを一部切り欠く頂点部分を有する略二等辺三角形状の穴がさらに形成されている。
【００１６】
したがって、折り目ｃ，ｄの剛性を減少させることができ、隔壁部５を折り目ｃ，ｄに沿って折り込む際、隔壁部５の剛性が小さい部分で屈曲することなく、すなわち、隔壁部５における各行の支持穴５ａの中心を通過する線分でしわが発生するのを防止して、折り目ｃ，ｄに沿って確実に折り込むことができる。同様に、折り目ｋに沿ってフラップ１３を折り込む際、折り目ｋの剛性を減少させて折り目ｋに沿って確実に折り込むことができる。
【００１７】
また、前面部３および折り返し部４にかけて、切り離し片１４および第２糊代１５を残して、それらの折り目ｂを中心としてほぼ上下対称の開口部Ａが形成されている。そして、開口部Ａにおける前面部３の内周縁には、切り離し片１４が切れ目ｎを介して連設され、切り離し片１４の外側端縁には、第２糊代１５が切れ目ｐを介して連設されている。
【００１８】
ここで、切り離し片１４と第２糊代１５との切れ目ｐは、前面部３と折り返し部４との折り目ｂの延長線上に位置するように設定されている。
【００１９】
また、前面部３の左右の側端縁および後面部７の左右の側端縁に連設されたサイドフラップ１２の幅（折り目ｊとサイドフラップ１２の外側端縁との間隔）は、底面部２の幅（折り目ａ，ｅ間の間隔）の略１／２に設定されている。この場合、前面部３あるいは後面部７のいずれか一方に、底面部２の幅に略一致する幅のサイドフラップ１３を連設するようにしてもよい。
【００２０】
次に、このように構成された収納容器１の組立要領について説明する。
【００２１】
まず、図３の展開図にしたがってコートボールを打ち抜いた後、折り返し部４の表面に接着剤を塗布し、前面部３に対して折り返し部４を隔壁部５および第１糊代６とともに折り目ｂに沿って谷折りし、折り返し部４を前面部３に貼着する（図４参照）。次いで、第１糊代６の裏面に接着剤を塗布した後、底面部３に対して後面部７、上面部８および差し込みフラップ９とともに折り目ｅに沿って谷折りし、第１糊代６を後面部７に貼着する（図５参照）。この後、底面部２に対して折り目ａに沿って前面部３を、折り目ｅに沿って後面部７をそれぞれ起こして立設させることにより、折り返し部４が前面部３に貼着されるとともに、第１糊代６が後面部７に貼着されて、前面部３および後面部７間に架設された隔壁部５と、底面部２と、前面部３と、後面部７とによって上方および左右側方が開口された直方体が形成される（図６（ａ）参照）。
【００２２】
この際、折り目ｃ，ｄの剛性が支持穴５ａによって低減されているため、隔壁部５にしわを発生させることなく折り目ｃ，ｄに沿って確実に折り込むことができる。
【００２３】
この後、隔壁部５に対してフラップ１３を折り目ｋに沿ってそれぞれ山折りし、前面部３および後面部７の立設状態を保持した後、隔壁部５の各支持孔５ａにそれぞれバイアル瓶Ｂを挿入する。この際、タブ５ｘが折り目ｍに沿って山折りされることにより、その弾性力によってバイアル瓶Ｂの胴部の対向する周面をタブ５ｘが押圧するため、各バイアル瓶Ｂを保持することができる。
【００２４】
また、前面部３および後面部７から離れた位置に支持穴５ａの略正方形状の穴が形成されているため、バイアル瓶Ｂの頭部を摘んで挿入する際、前面部３および後面部７との間に一定の空間を確保することができ、容易に挿入することができる。
【００２５】
設定個数のバイアル瓶Ｂが収納されたならば、前面部３および後面部７に対してそれぞれサイドフラップ１２を折り目ｊに沿って谷折りした後、底面部２に対して側面部１０を折り目ｈに沿って谷折りするとともに、側面部１０に対して差し込み片１１を折り目ｉに沿って谷折りする。さらに、後面部７に対して上面部８を折り目ｆに沿って谷折りするとともに、上面部８に対して差し込みフラップ９を折り目ｇに沿って谷折りした後、差し込みフラップ９を折り返し部４に沿うように差し込む。次いで、第２糊代１５の表面に接着剤を塗布した後、第２糊代１５を切り離し片１４に対して切れ目ｐに沿って谷折りし、上面部８に貼着すれば、収納容器１を形成することができる。
【００２６】
このようにして、例えば、１０本のバイアル瓶Ｂは、収納容器１に外部に露出することなく収納され、ユーザーに輸送される。
【００２７】
この際、落下などによって前面部３あるいは後面部７に衝撃力が作用したとしても、前面部３および後面部７から離れた位置に支持穴５ａの略正方形状の穴が形成されるとともに、この略正方形状の穴にバイアル瓶Ｂが保持されているため、バイアル瓶Ｂに作用する衝撃力を隔壁部５における支持穴５ａの周縁部によって緩衝することができ、バイアル瓶Ｂの破損を可及的に防止することができる。
【００２８】
一方、収納容器１内に収納されたバイアル瓶Ｂを取り出す場合は、切り離し片１４の端部を把握して一対の切れ目ｎ，ｐに沿って引き裂けば、切り離し片１４を切り離すことができる（図７参照）。この結果、上面部８の回動が許容される。この後、上面部８を摘んで上方へ回動すれば、隔壁部５の支持穴５ａに保持された各バイアル瓶Ｂが露出することから、バイアル瓶Ｂを摘んで上方に引き上げることにより取り出すことができる（図１参照）。この場合も、前面部３および後面部７との間に一定の空間を確保することができるため、バイアル瓶Ｂを容易に摘んで取り出すことができる。
【００２９】
必要な本数のバイアル瓶Ｂが取り出されたならば、上面部８を下方に向けて回動させ、差し込みフラップ９を折り返し部４に沿って差し込むことにより、バイアル瓶Ｂを覆うことができる。
【００３０】
【発明の効果】
本発明によれば、バイアル瓶などの容器の収納容器を、紙の使用量を可及的に削減して安価に製造することができる。
【図面の簡単な説明】
【図１】本発明のバイアル瓶などの容器の収納容器の一実施形態を示す斜視図である。
【図２】図１の収納容器の縦端面図である。
【図３】図１の収納容器の展開図である。
【図４】図１の収納容器の組立要領を説明する工程図である。
【図５】図１の収納容器の組立要領を説明する工程図である。
【図６】図１の収納容器の組立要領を説明する工程図である。
【図７】図１の収納容器の開封要領を説明する斜視図である。
【符号の説明】
１収納容器
２底面部
３前面部
４折り返し部
５隔壁部
５ａ支持穴
６，１５　糊代
７後面部
８上面部
９　差し込みフラップ
１０側面部
１１　差し込み片
１２　サイドフラップ
１３　フラップ
１４　切り離し片
ａ，ｂ，ｃ，ｄ，ｅ，ｆ，ｇ，ｈ，ｉ，ｊ，ｋ，ｍ　折り目
ｎ，ｐ　切れ目
Ｂバイアル瓶
【図１】
2004059022.tif 000003
【図２】
2004059022.tif 000004
【図３】
2004059022.tif 000005
【図４】
2004059022.tif 000006
【図５】
2004059022.tif 000007
【図６】
2004059022.tif 000008
【図７】
2004059022.tif 000009